(57)【特許請求の範囲】
【請求項１】
倒立するカバー（Ｂ）と、前記カバー及び箱の底面（Ａ）の内側部分とに連結される支柱（Ｃ）とを有する箱を含む関節式組立て品から構成される、調節可能な書見台に転換可能なフォルダーにおいて、
前記カバーに望ましい傾きを与えるため、前記底面に切欠き（４）が形成された隆起部が設けられ、
前記箱の前記カバーは、書類を支持し、前記カバーの端部において支持部（３）で書類を保持するように調整され、
前記カバーは、前記カバーが水平であり直接箱を閉鎖するよう配置された第一位置から、前記箱の前記底面に対して傾斜した第二位置へ移行するように調整され、
前記カバーは、前記第一位置及び前記第二位置の双方においてその外面上で書類を支持し、
第一曲げ部（１）により、前記カバー（Ｂ）及び前記支柱（Ｃ）が閉鎖時に前記底面（Ａ）の上部で同一平面的配置において静止し、
前記支柱（Ｃ）が前記カバー（Ａ）に対し前記第一曲げ部（１）と平行で相互に整列する２つの更なる曲げ部（２）により接合され、前記カバーが書見台配置に持ち上げられた場合に、前記カバーを支持し書類がその前記支持部（３）により傾斜して支持されるよう、前記支柱を下方向に回転させ前記底面の切欠き（４）に結合させる２つの曲げ部（２）により結合されることを特徴とするフォルダー。
【請求項２】
前記底面（Ａ）に対して、前記カバー（Ｂ）の下表面及び前記支柱（Ｃ）の前記底面（Ａ）の前端に到達する表面からそれぞれ突出し、前記支柱（Ｃ）の前端下側に形成するくぼみ（８）から操作することにより上昇させることのできる雄要素（６、７）とプレスばめで結合される、雌部品が設けられていることを特徴とする、請求項１記載のフォルダー。
【請求項３】
前記支柱（Ｃ）の下表面に前記カバー（Ｂ）側下部に突出するプレート（５）が設けられ、当該プレート（５）は、前記支柱が持ち上げられた場合に前記支柱と前記カバーを前記第一曲げ部（１）の回りを回転させる一方、前記支柱が２つの更なる曲げ部（２）により下方向に回転する場合には前記カバーに対して影響を及ぼさないことを特徴とする、請求項２記載のフォルダー。
【請求項４】
倒立するカバー（Ｈ）と、前記カバー及び箱の底面（Ｇ）の内側部分とに連結される支柱（Ｉ）とを有する箱を含む関節式組立て品から構成される、調節可能な書見台に転換可能なフォルダーにおいて、
前記カバーに望ましい傾きを与えるため、前記底面に切欠き（１７）が形成された隆起部が設けられ、
前記箱の前記カバーは、書類を支持し、前記カバーの端部において支持部（１４）で書類を保持するように調整され、
前記カバーは、前記カバーが水平であり直接箱を閉鎖するよう配置された第一位置から、前記箱の前記底面に対して傾斜した第二位置へ移行するように調整され、
前記カバーは、前記第一位置及び前記第二位置の双方においてその外面上で書類を支持し、
前記底面（Ｇ）と前記支柱（Ｉ）に第一及び第二ヒンジを用いてヒンジ付けされる前記カバー（Ｈ）が、フォルダー配置において底面（Ｇ）の外周の前記隆起部上に静止し、同じく前記隆起部に静止する前記支柱（Ｉ）とスナップ動作歯（１９）により結合し、
前記支柱（Ｉ）に設けられる他のスナップ動作歯（１８）は、前記底面（Ｇ）とくぼみ（２０）で結合し、
前記支柱は前記底面（Ｇ）の対応するくぼみ（２０）に指を挿入することで他のスナップ動作歯（１８）による前記底面（Ｇ）との結合が解放され、前記支柱と前記カバーを共に持ち上げられることを特徴とするフォルダー。
【請求項５】
前記支柱（Ｉ）と前記カバー（Ｈ）をまたがって固着されたストリップにより、前記支柱（Ｉ）が前記カバー（Ｈ）にヒンジ付けされていることを特徴とする、請求項４記載のフォルダー。
【請求項６】
前記ヒンジ（１５）の軸ストレスを防止するため、タブ（２１）が前記カバー（Ｈ）の下部から下方向に突出し底面（Ｇ）の対応する切欠きに挿入し、
前記ヒンジ（１５）は、前記底面又は前記カバーの一方の側面から突出する円柱状部が、もう一方の側面に形成された対応する座部にスナップ動作により挿入される方法で設けられていることを特徴とする、請求項４記載のフォルダー。
【請求項７】
前記底面（Ｇ）は外周に隆起部を有し、前記隆起部に設けられた切欠き（１７）に前記支柱（Ｉ）の終端が前記カバー（Ｈ）の傾斜配置を支持するために結合し、前記カバーの前記支持部（１４）が乗せられた書類をその基部で保持することを特徴とする、請求項４記載のフォルダー。
【請求項８】
倒立するカバー（Ｍ）と、前記カバー及び箱の底面（Ｌ）の内側部分とに連結される支柱（Ｏ）とを有する箱を含む関節式組立て品から構成される、調節可能な書見台に転換可能なフォルダーにおいて、
前記カバーに望ましい傾きを与えるため、前記底面に切欠き（２７）が形成された隆起部が設けられ、
前記箱の前記カバーは、書類を支持し、前記カバーの端部において支持部（Ｎ）で書類を保持するように調整され、
前記カバーは、前記カバーが水平であり直接箱を閉鎖するよう配置された第一位置から、前記箱の前記底面に対して傾斜した第二位置へ移行するように調整され、
前記カバーは、前記第一位置及び前記第二位置の双方においてその外面上で書類を支持し、
前記底面（Ｌ）と、前記支持部である回転式又は格納式腕木（Ｎ）と、前記カバーを傾斜して支持するための前記支柱（Ｏ）が、前記カバー（Ｍ）の内側で側面にヒンジ付けされることを特徴とするフォルダー。
【請求項９】
軸ストレスがヒンジ（２２）に影響を与えないよう、タブ（２８）が前記カバー（Ｍ）の後部領域から中央部分に下方向に突出し、前記底面（Ｌ）のヒンジ付けのための隆起ヒンジ部に設けられた対応する切欠けに挿入し、
前記ヒンジ（２２）は、前記底面（Ｌ）の二辺から突出する２つの円柱状部が、スナップ動作により、前記腕木（Ｎ）及び前記支柱（Ｏ）を回転させるための孔と共に前記カバー（Ｍ）の側面に設けられた結合用の孔と結合する方法により設けられたことを特徴とする、請求項８記載のフォルダー。
【請求項１０】
前記腕木（Ｎ）は、前記カバー（Ｍ）が有するくぼみ座部から使用配置まで９０度回転し、使用配置においては前記腕木に直角に設けられるタブにより前記カバー（Ｍ）の開口部における前記カバーの下表面に当接し、
組立て品が折りたたみ配置にあるときは前記タブは底面（Ｌ）の直近で直角に位置し、底面（Ｌ）から少なくとも１つの停止歯（２９）が突出し前記タブがヒンジ（２３）の回りを回転するのを防ぐことを特徴とする、請求項８記載のフォルダー。
【請求項１１】
前記腕木（Ｎ）に合わせて前記カバー（Ｍ）に設けられた前記くぼみ座部には、前記カバーの裏側から一本指で操作することで前記腕木を押し出すことを可能とする孔（２５）が設けられたことを特徴とする、請求項８記載のフォルダー。
【請求項１２】
前記支柱（Ｏ）はその終端が前記底面（Ｌ）の２つの側面のリブの切欠き（２７）に結合することで前記カバー（Ｍ）を支持し、フォルダー配置においては前記リブ及び前記底面の前面沿いにリブを連結する前記隆起部の上に水平に静止し、前記支柱（Ｏ）上に静止するカバー（Ｍ）のスナップ動作歯（２６）で前記底面と結合できるようにしたことを特徴とする、請求項８記載のフォルダー。
【発明の詳細な説明】
【０００１】
【発明の属する分野】
本発明は調整可能な書見台への転換を可能とするフォルダーに関する。
【０００２】
【従来技術】
最も広まっている脊柱変形症の一つとして、突発性一次本態性側弯症（idiopathic primary essential scoliosis）が挙げられる。これは、脊柱の固定の側方偏位（permanent lateral deviation）であり、この症状が、特に学齢期において、筋肉及び靭帯の全身低張に伴う不適当な側弯的姿勢（scoliotic postures）により発症するため、青年側弯症（adolescents’scoliosis）の呼び名のほうが馴染みが深い。実際問題として、これは虚弱な、手足の長い、無力症の個人における、静力学的要求と脊髄の抵抗との間の不均衡を原因とする負荷の変化により生じる変形である。
【０００３】
しかしながら、予防に関する適切な情報が不足していることから、こうした状態は障害が生じるまでほぼ必ず無視されており、特に若い人々の間で読書を異常な姿勢で行う悪習慣が広まっている。こうした姿勢はほぼ例外なく視覚を向上させるためにとられているが、何人に対しても、また特に脊髄の変形の素因がある個人に対しても薦められない。
【０００４】
【発明が解決しようとする課題】
先天的な又は既に発症した変形には概して別の解決方法が必要なことから、本発明は、勿論これらを矯正することはできないものの、長期に及ぶ側弯的姿勢、例えば子供が大きな本や新聞を大人用の机やテーブルの水平面に置いて読むときにとる姿勢、を主因とする変形の兆候を防止することができる。
米国特許明細書３３１１２０２号には、請求項１の前文に記載されているフォルダーが開示されている。
本発明の目的は、上記の欠点を克服することにある。
【０００５】
【課題を解決するための手段】
上記の問題点を解消するため、本発明は、プラスチックまたは他の適切な素材で製造され、内部に習字帖及びペンを何本か格納できるよう選ばれた寸法の、新規なフォルダーの使用を提案する。フォルダーは必要に応じ、最適な見方、読み方ができるように、書類を傾けるような書見台配置をとることができ、同時に無意識に、即ち自然な態度で押し付けではなく、直立姿勢またはどんな状態でも脊柱の不均衡がないような姿勢をとらせることができる。
【０００６】
通常段階において、フォルダーは、倒立するカバー及び、箱の二部分（カバーまたは底面）の一方にピボット付けされ、本発明を卓上書見台として利用する場合に底面に関連してカバーに与えられる配置に応じて、切欠きまたは他の適切な方法が設けられるもう一方と結合することのできる支柱を含む角柱状の箱からなり、その場合カバーは傾斜位置で書類を支持し、書類を固定のまたは格納式の支持部により基部で保持する。
上記目的および以下で明らかになる他の目的は、添付される特許請求の範囲で請求されるフォルダーにより達成される。
【０００７】
【発明の実施の形態】
添付の図面を参照して、及び図１〜８に示す第一実施例に関連する図から開始する。プラスチックから製造可能で単一の折りたたみ部として製造可能なフォルダーと書見台の組み合わせは、接続領域１及び２において関節でつながれている、三つの硬質部（Ａ−Ｂ−Ｃ）を有しており、接続領域は、慣習により曲げ部と定義づけられ、スコーリング又は二成分成形、即ち異なった剛性度を有する二つの熱可塑性素材の射出、という方法により得ることができる。
【０００８】
Ａ部、即ち箱の底面は、一辺を曲げ部１により区切られ、他の三辺を、閉じたときに同一平面になるようカバーＢ及びＣ部が静止する隆起部により区切られる（図５）。Ｃ部は支柱としての働きを有する。Ｃ部はカバーに対して、曲げ部１に相互に整列して平行しており、図８に示す書見台配置に持ち上げられた場合にカバーＢを支持するようＣ部を下方に回転させ底面の切欠き４に結合させる二つの曲げ部２により接合されており、その場合カバーＢは、カバーＢの隆起した支持部３を利用して基部で支えられる書面に対して傾斜した支持台を提供する。
【０００９】
底面Ａには、特に曲げ部１に平行した隆起部には、組立て品が図１及び５に示すフォルダー配置にある場合にカバーＢ及び支柱Ｃが底面に位置決めされるよう、カバーＢ及び支柱Ｃの下表面から突出する雄要素６及び７がプレスばめで結合する、雌部が設けられる。
【００１０】
これら二つのホックは、適切に設けられた底面Ａの正面溝８から支柱Ｃを一本指で持ち上げることにより分離することができる。特に曲げ部２での素材のたわみを防ぐため、支柱Ｃの下表面には、カバーＢの下に突出することにより支柱が持ち上げられた場合に支柱とカバーとを曲げ部１で回転させるプレート５が設けられ、同時にプレート５は支柱Ｃが曲げ部２から下方に回転する場合にはカバーＢになんら影響を及ぼさない。
【００１１】
図９〜１３に示すフォルダーと書見台の組み合わせもまたプラスチックから製造可能で単一の折りたたみ部として製造可能であり、適切なスコーリング又は二成分成形により曲げ部９及び１０において関節でつながれている、三つの硬質部（Ｄ−Ｅ−Ｆ）を有している。
【００１２】
曲げ部９及び１０は底面Ｄの二つの平行な辺を構成し、その一辺にはカバーＥが、もう一辺には支柱Ｆが接続される。支柱ＦはカバーＥ上に位置し、雄部１３を適切に設けられた雌部に対して押し込みばめ結合により挿入する。又は、書見台配置の場合（図１３参照）、支柱ＦはカバーＥの下に位置しその末端がカバーの下部から突出する側肩の切欠き１２に結合し、そのカバーには書見台で書類を保持するためカバーの上部から突出する隆起した支持部１１が設けられている。
【００１３】
図１４〜２１に示すフォルダーと書見台の組み合わせは、プラスチックまたは他の適切な素材から製造可能で、ヒンジ１５及び１６によりヒンジ付けされている三つの部分（Ｇ−Ｈ−Ｉ）により構成される。ヒンジ１５は、カバーＨの側面と底面Ｇの側面とを回転可能に結合させるピボット、リベット、他の同等手段で構成される一方、ヒンジ１６は、カバーＨと支柱Ｉを両方の下表面でまたぐよう、即ち両部分の内側のみがヒンジと接するよう、糊付けするまたは柔軟なまたは弾力的な素材を固着することで形成される。
【００１４】
閉じられた場合に底面Ｇの周囲隆起部上に静止するカバーＨ及び支柱Ｉは、前者が後者の上に位置するように、またカバーＨのスナップ動作歯１９が支柱Ｉに結合するように、形作られている（図１４及び図１８）。支柱Ｉに設けられる他のスナップ動作歯１８は、底面Ｇと正面溝２０で結合し、解放するよう指で接触でき、解放することで支柱Ｉ及びカバーＨで構成される組立て品を持ち上げヒンジ１５の回りを回転させることができる。
【００１５】
図２１に示す書見台配置を得るため、支柱Ｉはまず底面Ｇから解放され次にカバーＨのスナップ動作歯１９から開放され、先端が底面Ｇの周囲隆起部に形成された切欠き１７に結合するまでヒンジ１６の回りを回転する。
この実施例においても、カバーＨは傾斜位置で支える書類を基部で保持するための隆起した固定支持部１４を有する。
【００１６】
カバーＨの下側に位置する隆起した支持部１４には、タブ２１が設けられ（図１７及び１８）、タブ２１は中央部分を下降し底面Ｇの周囲隆起部に設けられた対応する切欠き（図１４において同じく記号２１で示される）に挿入される。
カバーＨが底面Ｇに常に中心位置決めされることを確実にするという改良点はヒンジ１５の軸ストレスを防止することから、ヒンジ１５はカバーまたは底面の側面から突出し、相手方の側面に形成された対応する座部にスナップ動作で挿入される単純な円柱状隆起部を用いて設けることができる。
【００１７】
図２２〜２７に示すフォルダーと書見台の組み合わせは、プラスチックまたは他の適切な素材により製造可能である四つの部分（Ｌ−Ｍ−Ｎ−Ｏ）で構成され、それらは、すべてカバーＭと関係するヒンジ２２、２３及び２４で接続される。底面Ｌ、腕木Ｎ及び支柱ＯはカバーＭの側面にそれぞれヒンジ２２、２３、２４によって回転可能に接続される。
【００１８】
前述の実施例ですでに述べたように、タブ２８（図２２及び２４）はカバーＭの後部領域から中央部分を下降し、底面Ｌの隆起ヒンジ部に設けられた対応する切欠けに挿入されることにより、ヒンジ２２への軸ストレスを防止する。このためこうしたヒンジは底面Ｌの二辺から突出しカバーＭに適切に設けられた孔にスナップ動作で結合できる二つの単純な円柱状突起部を用いて設けることができ、同様にそれぞれ必要な円柱状突起部を有する腕木Ｎをヒンジ２３で、支柱Ｏをヒンジ２４で、カバーＭの側面に設けられた孔にヒンジ付けすることができる。
【００１９】
しかしながら、この三つのヒンジの全てまたは一部をピボット、リベットまたは他の方法を用いて設けることもできる。
ヒンジ付け方法にかかわらず、腕木Ｎは、図２７に示すように、カバーＭのくぼみ座部から使用配置に移動するためヒンジ２３の回りを９０度回転するように作成される。使用配置では、腕木Ｎは、カバーの適切な開口部において、腕木に設けられ直角に配置され前記カバーＭの下表面に当接するするタブＮ１により支持される。
【００２０】
タブは、組立て品が折りたたみ状態にある場合、底面Ｌの直近に直角に位置し、底面Ｌからは、タブＮ１がヒンジ２３の周りを回転しないようにかつカバーがヒンジ２２の周りを回転する場合それについていくのを阻止しないように、一つ以上の停止歯２９が突出する。
【００２１】
腕木Ｎに適応するカバーＭのくぼみ座部に設けられた孔２５により、持ち上げたカバーの後ろから一本指で操作することで腕木Ｎを引き出すことができる。
支柱Ｏは、書見台配置において端部を底面Ｌの二つの側面のリブの切欠き２７に結合することでカバーＭを支持し、フォルダー配置においては、支柱Ｏの上に位置するカバーＭのスナップ動作歯２６と結合できるよう、リブ及びリブを底面Ｌの前面沿いに連結する隆起部上に平らに位置する。
【００２２】
本実施例及び前述の実施例において、後部で都合よいよう丸められているカバーＭの側面は、書見台を支持する机に直接本の重みを分散させるため、したがってカバーＭをヒンジ付けする方法には底面に重みをかけないことは特筆すべきである。
【００２３】
ここに説明し記述した基本特性を変更することなく、本発明の実際の使用にあたっては、使用する素材または製造方法の作用として、追加の変更や変化を内包できることは明らかである。したがって、産業上大量生産可能なことから特に安価な解決方法を限定することない例示としてここに示したが、本発明の範囲はまた、剛性または弾性挿入物で必要に応じて補強され、フォルダーを開閉するため、また支柱を方向付けまた折りたたむため、必要な関節部を直接提供する、織物または皮の利用に基づいたいかなる産業上または手工芸の実施例も含む。
本出願が優先権を主張するイタリア国特許出願第ＦＯ９７Ａ００００２７号の内容を参考として採用する。
【図面の簡単な説明】
本発明の四つの可能な実施例が、限定することない例示として添付する図面に図示されている。
【図１】  一体式成形により製造可能な実施例の図であり、上面図である。
【図２】  一体式成形により製造可能な実施例の図であり、側面図である。
【図３】  一体式成形により製造可能な実施例の図であり、正面図である。
【図４】  一体式成形により製造可能な実施例の図であり、背面図である。
【図５】  一体式成形により製造可能な実施例の図であり、フォルダー配置においてＸ−Ｘ平面から見た断面図である。
【図６】  一体式成形により製造可能な実施例の図であり、フォルダー配置においてＹ−Ｙ平面から見た断面図である。
【図７】  一体式成形により製造可能な実施例の図であり、フォルダー配置においてＺ−Ｚ平面から見た断面図である。
【図８】  一体式成形により製造可能な実施例の図であり、書見台配置においてＺ−Ｚ平面から見た断面図である。
【図９】  一体式成形により製造可能な他の実施例の図であり、上面図である。
【図１０】  一体式成形により製造可能な他の実施例の図であり、側面図である。
【図１１】  一体式成形により製造可能な他の実施例の図であり、フォルダー配置においてＸ−Ｘ平面から見た断面図である。
【図１２】  一体式成形により製造可能な他の実施例の図であり、フォルダー配置においてＹ−Ｙ平面から見た断面図である。
【図１３】  一体式成形により製造可能な他の実施例の図であり、書見台配置においてＹ−Ｙ平面から見た断面図である。
【図１４】  三部分を関節状に接続する方法で得られた実施例の図であり、上面図である。
【図１５】  三部分を関節状に接続する方法で得られた実施例の図であり、側面図である。
【図１６】  三部分を関節状に接続する方法で得られた実施例の図であり、正面図である。
【図１７】  三部分を関節状に接続する方法で得られた実施例の図であり、背面図である。
【図１８】  三部分を関節状に接続する方法で得られた実施例の図であり、フォルダー配置においてＸ−Ｘ平面から見た断面図である。
【図１９】  三部分を関節状に接続する方法で得られた実施例の図であり、フォルダー配置においてＹ−Ｙ平面から見た断面図である。
【図２０】  三部分を関節状に接続する方法で得られた実施例の図であり、フォルダー配置においてＺ−Ｚ平面から見た断面図である。
【図２１】  三部分を関節状に接続する方法で得られた実施例の図であり、書見台配置においてＺ−Ｚ平面から見た断面図である。
【図２２】  四部分を関節状に接続する方法で得られた実施例の図であり、上面図である。
【図２３】  四部分を関節状に接続する方法で得られた実施例の図であり、側面図である。
【図２４】  四部分を関節状に接続する方法で得られた実施例の図であり、フォルダー配置においてＸ−Ｘ平面から見た断面図である。
【図２５】  四部分を関節状に接続する方法で得られた実施例の図であり、フォルダー配置においてＹ−Ｙ平面から見た断面図である。
【図２６】  四部分を関節状に接続する方法で得られた実施例の図であり、フォルダー配置においてＺ−Ｚ平面から見た断面図である。
【図２７】  四部分を関節状に接続する方法で得られた実施例の図であり、書見台配置においてＺ−Ｚ平面から見た断面図である。
【符号の説明】
１、２、９、１０  曲げ部
３、１１、１４ 支持部
４、１２、１７、２７  切欠き
５  プレート
６、７  雄要素
８、２０  正面溝
１３  雄部
１５、１６、２２、２３、２４  ヒンジ
１８、１９、２６  スナップ動作歯
２１  タブ
２５  孔
Ａ、Ｄ、Ｇ、Ｌ  底面
Ｂ、Ｅ、Ｈ、Ｍ  カバー
Ｃ、Ｆ、Ｉ  支柱
Ｎ  腕木
Ｎ１  タブ
Ｏ  支柱
【図１】
0004347519.tif 000002
【図２】
0004347519.tif 000003
【図３】
0004347519.tif 000004
【図４】
0004347519.tif 000005
【図５】
0004347519.tif 000006
【図６】
0004347519.tif 000007
【図７】
0004347519.tif 000008
【図８】
0004347519.tif 000009
【図９】
0004347519.tif 000010
【図１０】
0004347519.tif 000011
【図１１】
0004347519.tif 000012
【図１２】
0004347519.tif 000013
【図１３】
0004347519.tif 000014
【図１４】
0004347519.tif 000015
【図１５】
0004347519.tif 000016
【図１６】
0004347519.tif 000017
【図１７】
0004347519.tif 000018
【図１８】
0004347519.tif 000019
【図１９】
0004347519.tif 000020
【図２０】
0004347519.tif 000021
【図２１】
0004347519.tif 000022
【図２２】
0004347519.tif 000023
【図２３】
0004347519.tif 000024
【図２４】
0004347519.tif 000025
【図２５】
0004347519.tif 000026
【図２６】
0004347519.tif 000027
【図２７】
0004347519.tif 000028